(57)【要約】【課題】昇降時における照明器具１２の回転を抑制し、照明器具１２の昇降を安定させることができる照明装置１１を提供する。【解決手段】複数の昇降装置１３によって、照明器具１２を有する昇降体２６を同時に昇降させる。昇降装置１３では、天井に設置する昇降装置本体２１からワイヤロープ２２を巻き取り巻き戻しし、ワイヤロープ２２で吊り下げた昇降体２６を昇降させる。複数の昇降装置１３によって同時に昇降する複数の昇降体２６の照明器具１２の端部１８間を連結体２９でつなぐ。複数の昇降体２６の照明器具１２の端部１８間を連結体２９でつなぐことにより、昇降体２６の昇降時における照明器具１２の回転を抑制し、照明器具１２の昇降を安定させる。【選択図】　　　　図１
2004103362.tif 000002
【特許請求の範囲】
【請求項１】
複数の照明器具と；
照明器具を有する昇降体、昇降体を吊り下げる索条、およびこの索条を巻き取り巻き戻しして昇降体を昇降させる昇降装置本体を有する複数の昇降装置と；
複数の昇降装置によって同時に昇降する複数の昇降体の端部間をつなぐ連結体と；
を具備していることを特徴とする照明装置。
【請求項２】
各昇降体は、照明器具を支持して索条で吊り下げられる昇降部を有し、
連結体は、複数の照明器具の端部間および複数の昇降部の端部間のいずれか一方をつなぐ
ことを特徴とする請求項１記載の照明装置。
【請求項３】
連結体は、可撓性を有する
ことを特徴とする請求項１または２記載の照明装置。
【発明の詳細な説明】
【０００１】
【発明の属する技術分野】
本発明は、照明器具を昇降させる照明装置に関する。
【０００２】
【従来の技術】
従来、例えば体育館、工場や倉庫のような高天井に設置する照明装置は、ランプ交換や点検および清掃のために照明器具を昇降装置によって昇降させるように構成されている。この昇降装置は、天井側に設置される昇降装置本体を有し、この昇降装置本体には昇降用モータで回転される巻取ドラムにワイヤロープが巻回されていて、このワイヤロープによって昇降部が吊り下げられ、この昇降部に照明器具が取り付けられている。ワイヤロープの先端は天井側に取り付けられ、このワイヤロープの先端と昇降装置本体のドラムとの間に昇降部の滑車を介して照明器具が吊り下げられている。そして、昇降装置本体の昇降用モータの駆動で巻取ドラムからワイヤロープを巻き戻すことによって昇降部とともに照明器具が下降し、昇降用モータの駆動で巻取ドラムにワイヤロープを巻き取ることによって昇降部とともに照明器具が上昇する（例えば、特許文献１参照）。
【０００３】
【特許文献１】
特開２００１−１８４９３５号公報（第２頁ないし第４頁、図１ないし図４）
【０００４】
【発明が解決しようとする課題】
ところで、ワイヤロープはより線で構成されるため、昇降時にワイヤロープに照明器具の荷重がかかることでワイヤロープに捩れが発生し、ワイヤロープで吊り下げられている照明器具は鉛直軸回りつまり水平方向に回転しやすい。特に、照明器具が直管形蛍光ランプなどを用いた水平方向に長尺の器具構造の場合、あるいは大形の器具構造の場合には、回転モーメントが大きいため、回転したら止まりにくい傾向がある。
【０００５】
そのため、昇降時に照明器具が回転しやすく、照明器具の昇降が不安定になる問題がある。さらに、照明器具が大きく回転すれば、照明器具を吊り下げているワイヤロープが絡み、ワイヤロープに負荷がかかって劣化したり、昇降用モータやドラムなどの駆動系に負荷がかかって昇降装置の故障の原因となる問題がある。
【０００６】
本発明は、このような点に鑑みなされたもので、昇降時における照明器具の回転を抑制し、照明器具の昇降を安定させることができる照明装置を提供することを目的とする。
【０００７】
【課題を解決するための手段】
請求項１記載の照明装置は、複数の照明器具と；照明器具を有する昇降体、昇降体を吊り下げる索条、およびこの索条を巻き取り巻き戻しして昇降体を昇降させる昇降装置本体を有する複数の昇降装置と；複数の昇降装置によって同時に昇降する複数の昇降体の端部間をつなぐ連結体と；を具備しているものである。
【０００８】
そして、この構成では、複数の昇降装置によって同時に昇降する複数の昇降体の端部間を連結体でつなぐことにより、昇降体の昇降時における照明器具の回転が抑制され、照明器具の昇降が安定する。
【０００９】
請求項２記載の照明装置は、請求項１記載の照明装置において、各昇降体は、照明器具を支持して索条で吊り下げられる昇降部を有し、連結体は、複数の照明器具の端部間および複数の昇降部の端部間のいずれか一方をつなぐものである。
【００１０】
そして、この構成では、連結体によって複数の照明器具の端部間および複数の昇降部の端部間のいずれをつなぐ場合にも対応可能とする。
【００１１】
請求項３記載の照明装置は、請求項１または２記載の照明装置において、連結体は、可撓性を有するものである。
【００１２】
そして、この構成では、連結体が可撓性を有することにより、各照明器具の昇降のばらつきを許容しつつ照明器具の回転を抑制可能とする。
【００１３】
【発明の実施の形態】
以下、本発明の一実施の形態を図面を参照して説明する。
【００１４】
図１および図２に第１の実施の形態を示し、図１は照明装置の概念図、図２は照明装置の斜視図である。
【００１５】
照明装置１１は、照明器具１２が取り付けられた昇降装置１３を有する複数の照明ユニット１４を備え、これら複数の照明ユニット１４が例えば体育館、工場および倉庫などの高天井に間隔をあけて設置されている。
【００１６】
照明器具１２は、器具本体１７を有し、この器具本体１７には、図示しないが、光源、この光源を着脱可能に装着するソケット、および光源を点灯させる点灯装置などが配設されている。光源としては例えば長尺な直管形蛍光ランプが複数本用いられ、この長尺な直管形蛍光ランプに対応して器具本体１７がその両端部１８の方向に長尺に形成されている。
【００１７】
昇降装置１３は、ブラケット２０によって天井側に設置される昇降装置本体２１を有し、この昇降装置本体２１には、索条としてのワイヤロープ２２の基端側を連結して巻き取り巻き戻しする巻取ドラム２３が回転可能に配設され、この巻取ドラム２３を回転駆動する駆動手段としての昇降用モータ２４が配設されている。ワイヤロープ２２は例えば２本で、巻取ドラム２３はワイヤロープ２２毎に巻取部が区画形成されている。
【００１８】
各ワイヤロープ２２の先端は昇降装置本体２１の下面から導出され、その各ワイヤロープ２２の先端に昇降部２５が連結されている。この昇降部２５の下部に照明器具１２が取り付けられ、これら昇降部２５と照明器具１２とで昇降体２６が構成されている。
【００１９】
昇降装置本体２１および昇降部２５には、昇降部２５が昇降装置本体２１の下部に係合する最上昇位置で、昇降装置本体２１側と昇降部２５側との間で電気的に接続するコネクタなどの図示しない電気接続手段が設けられている。
【００２０】
照明装置１１の天井に設置される複数の照明ユニット１４のうち、例えば列毎や領域毎の複数の照明ユニット１４の昇降装置１３が同時に昇降動作するように、つまり複数の昇降体２６が同時に昇降するように図示しない制御部によって制御される。
【００２１】
同時に昇降する照明器具１２のうち、隣り合う照明器具１２の端部１８間が、例えばワイヤロープやベルトなどの柔軟性を有する連結体２９でつながれている。
【００２２】
なお、最も端に位置する照明ユニット１４の照明器具１２には、一方の端部１８にのみ連結体２９が連結され、その一方の端部１８にのみ連結体２９の荷重がかかる。そのため、照明ユニット１４の設置間隔が広く、隣り合う照明器具１２の端部１８間を連結する連結体２９が長い場合には、照明器具１２の一方の端部１８にかかる連結体２９の荷重が大きく、照明器具１２が傾いてしまう。このような場合には、照明器具１２の連結体２９が連結された一方の端部１８に対して、連結体２９が連結されていない他方の端部１８に、照明器具１２の重心バランスをとって照明器具１２の傾きを抑制できる重りを取り付ける。
【００２３】
そして、照明装置１１の天井に設置された例えば列毎や領域毎の複数の照明ユニット１４の昇降装置１３が同時に昇降動作され、複数の昇降体２６が同時に昇降する。このとき、各昇降装置１３の昇降スピードやタイミングを一定にさせることが好ましい。
【００２４】
照明器具１２のランプ交換、点検および清掃などの作業のために照明器具１２を下降させる場合には、昇降用モータ２４によって巻取ドラム２３がワイヤロープ２２の巻き戻し方向に回転駆動され、巻き戻されるワイヤロープ２２を介して昇降体２６が下降する。そのため、照明器具１２のランプ交換、点検および清掃などの作業を床面上の低い位置で容易にできる。
【００２５】
作業の終了後、照明器具１２を上昇させる場合には、昇降用モータ２４によって巻取ドラム２３がワイヤロープ２２の巻き取り方向に回転駆動され、巻き取られるワイヤロープ２２を介して昇降体２６が上昇する。
【００２６】
この昇降体２６の上昇時または下降時において、ワイヤロープ２２の捩れなどの影響により、ワイヤロープ２２で吊り下げられている昇降体２６が鉛直軸回りに回転しようとしても、同時に昇降する隣り合った昇降体２６の照明器具１２の端部１８間を連結体２９でつないでいるため、照明器具１２が大きく回転するのを規制できる。そのため、昇降体２６の昇降時における照明器具１２の回転を抑制でき、照明器具１２の昇降を安定させることができる。さらに、照明器具１２が大きく回転することがないため、２本のワイヤロープ２２が絡むことがなく、ワイヤロープ２２の劣化を防止して寿命を長くできるとともに、昇降用モータ２４や巻取ドラム２３などの駆動系にかかる負荷を低減して昇降装置１３の故障を少なくできる。
【００２７】
連結体２６が可撓性を有するワイヤロープやベルトなどで構成されることにより、各照明器具１２の昇降のばらつきを許容しつつ照明器具１２の回転を抑制できる。
【００２８】
次に、図３に第２の実施の形態を示し、図３は照明装置の概念図である。
【００２９】
昇降部２５は、この昇降部２５の下部に中間部が取り付けられた長尺な棒状のバー３１を有し、このバー３１の両端部にワイヤロープや取付金具などの支持部材３２によって照明器具１２の両端部１８が支持されている。
【００３０】
このように昇降部２５がバー３１を有する場合には、隣り合う照明器具１２の端部１８間に限らず、隣り合うバー３１の端部間を連結体２９で連結することができる。この場合、照明器具１２に連結体２９を連結するための構造を設ける必要がなく、連結体２９によって照明器具１２に負荷がかかるのを防止できる。
【００３１】
この場合にも、照明ユニット１４の設置間隔が広く、隣り合うバー３１の端部間を連結する連結体２９が長いため、バー３１の一方の端部にかかる連結体２９の荷重が大きく、照明器具１２が傾いてしまう場合には、バー３１の連結体２９が連結された一方の端部に対して、連結体２９が連結されていない他方の端部に、昇降体２６の重心バランスをとって照明器具１２の傾きを抑制できる重りを取り付ける。
【００３２】
なお、索条としては、ワイヤロープに限らず、ベルトなどを用いてもよい。
【００３３】
また、昇降体２６には、昇降部２５を備えず、照明器具１２のみの場合、昇降部２５の構造を一体的に有する照明器具１２の場合も含まれる。
【００３４】
また、連結体２９によって、昇降体２６の照明器具１２の端部１８間、および昇降部２５の端部間のいずれかをつないだが、例えば隣り合う照明器具１２間に段差がある場合などには、照明器具１２の端部１８と昇降部２５との間をつないでもよい。
【００３５】
【発明の効果】
請求項１記載の照明装置によれば、複数の昇降装置によって同時に昇降する複数の昇降体の端部間を連結体でつなぐことにより、昇降体の昇降時における照明器具の回転を抑制し、照明器具の昇降を安定させることができる。
【００３６】
請求項２記載の照明装置によれば、請求項１記載の照明装置の効果に加えて、連結体によって昇降体の複数の照明器具の端部間および複数の昇降部の端部間のいずれをつなぐ場合にも対応できる。
【００３７】
請求項３記載の照明装置によれば、請求項１または２記載の照明装置の効果に加えて、連結体が可撓性を有することにより、各照明器具の昇降のばらつきを許容しつつ照明器具の回転を抑制できる。
【図面の簡単な説明】
【図１】本発明の第１の実施の形態を示す照明装置の概念図である。
【図２】同上照明装置の斜視図である。
【図３】第２の実施の形態を示す照明装置の概念図である。
【符号の説明】
１１　　照明装置
１２　　照明器具
１３　　昇降装置
２１　　昇降装置本体
２２　　索条としてのワイヤロープ
２５　　昇降部
２６　　昇降体
２９　　連結体
【図１】
2004103362.tif 000003
【図２】
2004103362.tif 000004
【図３】
2004103362.tif 000005